【手続補正書】
【提出日】平成30年3月23日(2018.3.23)
【手続補正１】
【補正対象書類名】特許請求の範囲
【補正対象項目名】全文
【補正方法】変更
【補正の内容】
【特許請求の範囲】
【請求項１】
患者に適用されるように構成された電子センサパッチを活性化する方法であって、
前記電子センサパッチが身体に近接しているかどうかを決定するために静電容量センサを使用するステップと、
前記電子センサパッチが身体に近接していないことを決定することに応答して、所定の時間期間の間、前記電子センサパッチのプロセッサを低電力モードにパワーダウンさせるステップと、
前記電子センサパッチが前記身体に近接していることを決定することに応答して、前記電子センサパッチを活性化するステップと、
前記プロセッサによって、バッテリ電源への接続に応答して製造モードを実行するステップであって、前記製造モードでは、前記静電容量センサが活性化されない、ステップと、
を備える方法。
【請求項２】
前記電子センサパッチが身体に近接しているかどうかを決定するために前記静電容量センサを使用するステップが、
前記静電容量センサの静電容量を測定するステップと、
前記静電容量センサの前記測定された静電容量をしきい値と比較するステップと、
前記しきい値よりも大きい前記静電容量センサの前記測定された静電容量に応答して、前記電子センサパッチが身体に近接していることを決定するステップと
を備える、請求項1に記載の方法。
【請求項３】
前記電子センサパッチが身体に近接しているかどうかを決定するために前記静電容量センサを使用するステップが、
前記所定の時間期間の満了時に、前記電子センサパッチの前記プロセッサに通電するステップと、
前記静電容量センサに通電するステップと、
前記プロセッサによって、前記静電容量センサに通電することに基づいて、前記静電容量センサの静電容量を測定するステップと、
前記プロセッサによって、前記静電容量センサの前記測定された静電容量をしきい値と比較するステップと、
前記しきい値よりも大きい前記静電容量センサの前記測定された静電容量に基づいて、前記電子センサパッチが身体に近接していることを決定するステップと
を備える、請求項1に記載の方法。
【請求項４】
前記静電容量センサに通電するステップが、電圧源からの電圧および定電流源からの定電流のうちの一方を前記静電容量センサに適用するステップを備える、請求項3に記載の方法。
【請求項５】
前記電子センサパッチが身体に近接していることを決定することに応答して、所定の時間期間の間、前記電子センサパッチのプロセッサを低電力モードにパワーダウンさせるステップが、
前記電子センサパッチが身体に近接していないことを決定することに応答してタイマを起動するステップと、
前記タイマを監視し、プロセッサおよび電子センサパッチ構成要素による電力消費を低減する低電力モードに、前記電子センサパッチの前記プロセッサをパワーダウンさせるステップと、
前記タイマに基づいて、前記所定の時間期間が経過したかどうかを決定するステップと、
前記タイマに基づいて、前記所定の時間期間が経過していないことを決定することに応答して、前記プロセッサを前記低電力モードに残すステップと
を備え、
前記所定の時間期間の満了時に前記電子センサパッチの前記プロセッサに通電するステップが、前記タイマに基づいて、前記所定の時間期間が経過したことを決定することに応答して、前記電子センサパッチの前記プロセッサに通電するステップを備える、請求項3に記載の方法。
【請求項６】
前記バッテリ電源への接続からの時間が第1の時間しきい値を超えたかどうかを決定するステップであって、前記第1の時間しきい値が、製造中および試験中に前記電子センサパッチが処理され得る時間の量を表す、ステップと、
前記プロセッサによって、前記バッテリ電源への前記接続からの前記時間が第1の時間しきい値を超えたことを決定することに応答して、前記静電容量センサが前記所定の時間期間において活性化されるシェルフモードを実行するステップと
をさらに備える、請求項1に記載の方法。
【請求項７】
前記電子センサパッチの活性化に応答して、前記電子センサパッチが前記シェルフモードにあった持続時間を決定するステップと、
前記電子センサパッチが前記シェルフモードにあった决定された持続時間の指示を送信するステップと
をさらに備える、請求項6に記載の方法。
【請求項８】
電子センサパッチであって、
バッテリと、
静電容量センサと、
前記電子センサパッチが身体に近接しているかどうかを決定するために前記静電容量センサを使用するための手段と、
前記電子センサパッチが身体に近接していないことを決定することに応答して、所定の時間期間の間、前記電子センサパッチを低電力モードにするための手段と、
前記電子センサパッチが前記身体に近接していることを決定することに応答して、前記電子センサパッチを活性化するための手段と、
前記プロセッサによって、バッテリ電源への接続に応答して製造モードを実行するための手段であって、前記製造モードでは、前記静電容量センサが活性化されない、手段と、
を備える電子センサパッチ。
【請求項９】
前記電子センサパッチが身体に近接しているかどうかを決定するために静電容量センサを使用するための手段が、
前記静電容量センサの静電容量を測定するための手段と、
前記静電容量センサの前記測定された静電容量をしきい値と比較するための手段と、
前記しきい値よりも大きい前記静電容量センサの前記測定された静電容量に応答して、前記電子センサパッチが身体に近接していることを決定するための手段と
を備える、請求項8に記載の電子センサパッチ。
【請求項１０】
前記電子センサパッチが身体に近接しているかどうかを決定するために静電容量センサを使用するための手段が、
前記所定の時間期間の満了時に、前記静電容量センサに通電するための手段と、
前記静電容量センサに通電することに基づいて、前記静電容量センサの静電容量を測定するための手段と、
前記静電容量センサの前記測定された静電容量をしきい値と比較するための手段と、
前記しきい値よりも大きい前記静電容量センサの前記測定された静電容量に基づいて、前記電子センサパッチが身体に近接していることを決定するための手段と
を備える、請求項8に記載の電子センサパッチ。
【請求項１１】
前記静電容量センサに通電するための手段が、電圧源からの電圧および定電流源からの定電流のうちの一方を前記静電容量センサに適用するための手段を備える、請求項10に記載の電子センサパッチ。
【請求項１２】
前記電子センサパッチが身体に近接していないことを決定することに応答して、所定の時間期間の間、前記電子センサパッチを低電力モードにするための手段が、
前記電子センサパッチが身体に近接していないことを決定することに応答してタイマを起動するための手段と、
前記タイマを維持するが、電子センサパッチ構成要素による電力消費を最小化する低電力モードに、前記電子センサパッチをパワーダウンさせるための手段と、
前記タイマに基づいて、前記所定の時間期間が経過したかどうかを決定するための手段と、
前記タイマに基づいて、前記所定の時間期間が経過していないことを決定することに応答して、前記電子センサパッチを前記低電力モードに残すための手段と
を備え、
前記所定の時間期間の満了時に前記静電容量センサに通電するステップが、前記タイマに基づいて、前記所定の時間期間が経過したことを決定することに応答して、前記静電容量センサに通電するための手段を備える、請求項10に記載の電子センサパッチ。
【請求項１３】
前記バッテリ電源への接続からの時間が第1の時間しきい値を超えたかどうかを決定するための手段であって、前記第1の時間しきい値が、製造中および試験中に前記電子センサパッチが処理され得る時間の量を表す、手段と、
プロセッサによって、前記バッテリ電源への前記接続からの前記時間が第1の時間しきい値を超えたことを決定することに応答して、前記静電容量センサが前記所定の時間期間において活性化されるシェルフモードを実行する手段と
をさらに備える、請求項8に記載の電子センサパッチ。
【請求項１４】
前記電子センサパッチの活性化に応答して、前記電子センサパッチが前記シェルフモードにあった持続時間を決定するための手段と、
前記電子センサパッチが前記シェルフモードにあった前記決定された持続時間の指示を送信するための手段と
をさらに備える、請求項13に記載の電子センサパッチ。
【請求項１５】
電子センサパッチのプロセッサに、
前記電子センサパッチが身体に近接しているかどうかを決定するために静電容量センサを使用することと、
前記電子センサパッチが身体に近接していないことを決定することに応答して、所定の時間期間の間、前記電子センサパッチの前記プロセッサを低電力モードにパワーダウンさせることと、
前記電子センサパッチが前記身体に近接していることを決定することに応答して、前記電子センサパッチを活性化することと
バッテリ電源への接続に応答して製造モードを実行することであって、前記製造モードでは、前記静電容量センサが活性化されない、ことと、
を備える動作を実行させるように構成されたプロセッサ実行可能命令を記憶されている非一時的プロセッサ可読記憶媒体。